(57)【要約】      （修正有）【課題】スケートボードなどの物体を支持するハンドルを提供する。【解決手段】ハンドル１００は、ハンドルバー１０と、ハンドルバー１０に固定され、物体２０（スケートボード７０）の前面と後面と底面とで物体を支持する支持部３０とを備える。支持部３０は、左フック部４０と右フック部５０とを有する。左フック部４０は、ハンドル１００の左側に固定され、右フック部５０は、ハンドル１００の右側に固定されている。ハンドルバー１０は、バイシクルモトクロス（ＢＭＸ）に用いられる自転車のハンドルバー１０である。【選択図】図７
0003235590.tif 000002
【実用新案登録請求の範囲】
【請求項１】
ハンドルバーと、
前記ハンドルバーに固定され、物体の前面と後面と底面とで物体を支持する支持部と
を備えたハンドル。
【請求項２】
ハンドルバーの左側と右側に、物体を取り付ける１対のＵ字フックを有する支持部を備えたハンドル。
【請求項３】
ハンドルバーと平行に、長尺の物体を取り付ける支持部を備えたハンドル。
【請求項４】
前記支持部は、物体を挿入する凹部を有する請求項１から３のいずれかの１項に記載のハンドル。
【請求項５】
前記支持部は、上方向と左方向と右方向との３方向が解放された状態で前記ハンドルバーに固定され、
前記支持部は、下方向と前方向と後方向との３方向が解放されていない状態でハンドルバーに固定されている請求項１から４のいずれかの１項に記載のハンドル。
【請求項６】
前記支持部は、側面視でＵ字形状をしている請求項１から５のいずれかの１項に記載のハンドル。
【請求項７】
前記支持部は、側面視でＪ字形状をしており、
前記ハンドルバーと前記支持部とにより、Ｕ字フックが形成されている請求項１から５のいずれか１項に記載のハンドル。
【請求項８】
前記支持部を前記ハンドルバーの前方に取り付けた請求項１から７のいずれか１項に記載のハンドル。
【請求項９】
前記支持部を前記ハンドルバーの後方に取り付けた請求項１から７のいずれか１項に記載のハンドル。
【請求項１０】
前記支持部は、左フック部と右フック部とを有し、
前記左フック部は、前記ハンドルバーの左側に固定され、
前記右フック部は、前記ハンドルバーの右側に固定されている請求項１から９のいずれか１項に記載のハンドル。
【請求項１１】
前記左フック部と前記右フック部とを接続した接続部を有する請求項１０に記載のハンドル。
【請求項１２】
前記左フック部は、前記ハンドルバーに固定された接合部と、物体を支持するＵ字フックとを有し、
前記右フック部は、前記ハンドルバーに固定された接合部と、物体を支持するＵ字フックとを有する請求項１０又は１１に記載のハンドル。
【請求項１３】
前記ハンドルバーは、前記ハンドルバーの中央に向かって下方に傾斜している左傾斜部と右傾斜部とを有し、
前記左フック部の前記接合部は、前記左傾斜部に溶接され、
前記右フック部の前記接合部は、前記右傾斜部に溶接されている請求項１２に記載のハンドル。
【請求項１４】
前記物体は、前輪と後輪とデッキとを有するスケートボードであり、
前記支持部は、前記デッキの前記前輪と前記後輪との内側の部分を支持する請求項１から１３のいずれか１項に記載のハンドル。
【請求項１５】
前記支持部は、前記デッキのデッキ幅の半分以上の深さを有する請求項１４に記載のハンドル。
【請求項１６】
前記物体は、前輪と後輪とデッキとを有するスケートボードであり、
前記Ｕ字フックのフック間隔は、前記スケートボードの車輪間隔よりも小さく、
前記Ｕ字フックのフック深さは、前記スケートボードのデッキ幅よりも小さく、
前記Ｕ字フックのフック前後幅は、前記スケートボードのデッキ厚よりも大きく、
前記Ｕ字フックのフック前後幅は、前記スケートボードのデッキ高よりも小さい請求項１２又は１３に記載のハンドル。
【請求項１７】
前記ハンドルバーは、バイシクルモトクロス（ＢＭＸ）に用いられる自転車のハンドルバーである請求項１から１６のいずれか１項に記載のハンドル。
【請求項１８】
前記ハンドルバーは、２輪車又は３輪車のハンドルバーである請求項１から１７のいずれか１項に記載のハンドル。
【請求項１９】
請求項１から１８のいずれか１項に記載のハンドルを備えた自転車。
【考案の詳細な説明】
【技術分野】
【０００１】
本開示は、ハンドル及び自転車に関するものである。
【背景技術】
【０００２】
従来から、物体を保持して運ぶ２輪車が存在する。
【先行技術文献】
【特許文献】
【０００３】
【特許文献１】特許第４９８４２７５号公報
【特許文献２】特開２００９−１９０６４５号公報
【特許文献２】実用新案登録第３０７９５１６号公報
【特許文献２】実用新案登録第３２０９３９７号公報
【考案の概要】
【考案が解決しようとする課題】
【０００４】
従来の自転車は、物体を２輪車のフレームに保持するものである。
本開示では、物体を保持するハンドルを提供したい。
【課題を解決するための手段】
【０００５】
本開示に係るハンドルは、
ハンドルバーと、
前記ハンドルバーに固定され、物体を支持する支持部と
を備えた。
【考案の効果】
【０００６】
本開示によれば、ハンドルバーに物体を支持する支持部が固定されているので、ハンドルに物体を取り付けることができる。
【図面の簡単な説明】
【０００７】
【図１】実施の形態１におけるハンドル１００の斜視図。
【図２】実施の形態１におけるハンドル１００の正面図。
【図３】実施の形態１におけるハンドル１００の背面図。
【図４】実施の形態１におけるハンドル１００の左側面図、右側面図、及び、断面図。
【図５】実施の形態１におけるハンドル１００の平面図。
【図６】実施の形態１におけるハンドル１００の底面図。
【図７】実施の形態１におけるハンドル１００と物体２０（スケートボード７０）を示す図。
【図８】実施の形態１におけるハンドル１００を取り付けた自転車の側面図。
【図９】実施の形態１におけるハンドル１００の接続部３５を示す図。
【図１０】実施の形態１におけるハンドル１００のＪ字フック３９を示す図。
【図１１】実施の形態１におけるハンドル１００の変形例を示す図。
【図１２】実施の形態１におけるハンドル１００の変形例を示す図。
【図１３】実施の形態１におけるハンドル１００の変形例を示す図。
【図１４】実施の形態１における支持部３０の取付例を示す図。
【考案を実施するための形態】
【０００８】
以下、符号を付して説明するが、この符号によって請求の範囲を限定するものではない。
上下とは、鉛直方向における上下を意味する。
左右とは、自転車に乗車した人間の左手側と右手側を意味する。
前後とは、自転車の進行方向と反進行方向を意味する。
【０００９】
実施の形態１．
【００１０】
＊＊＊ハンドル１００の構成の説明＊＊＊
図１から図８により、ハンドル１００とハンドルバー１０と支持部３０を説明する。
【００１１】
●●●ハンドル１００●●●
ハンドル１００は、ハンドルバー１０と、支持部３０とを有する。
支持部３０は、ハンドルバー１０に固定されている。
【００１２】
●●ハンドルバー１０●●
ハンドルバー１０は、左グリップ部１１と、左傾斜部１２と、固定部１３と、右傾斜部１４と、右グリップ部１５と、補強バー１９とを有する。
ハンドルバー１０は、両端が解放した１本の金属パイプである。
ハンドルバー１０は、左グリップ部１１と右グリップ部１５から中央に向かって下方に傾斜している左傾斜部１２と右傾斜部１４とを有する。
【００１３】
●左グリップ部１１●
左グリップ部１１は、人間が左手で保持する部分である。
【００１４】
●左傾斜部１２●
左傾斜部１２は、左グリップ部１１から固定部１３に向けて下方手前に傾斜している部分である。
【００１５】
●固定部１３●
固定部１３は、ハンドルバー１０の中央にある。
固定部１３は、外周に滑り止め用の溝があり、自転車６０のフレーム６１又は図示していないハンドルステムに固定される。
溝は、ハンドルバー１０の中心軸と平行に切ってある。
溝は、ハンドルバー１０の外周全体に複数本形成されている。
【００１６】
●右傾斜部１４●
右傾斜部１４は、右グリップ部１５から固定部１３に向けて下方手前に傾斜している部分である。
【００１７】
●右グリップ部１５●
右グリップ部１５は、人間が右手で保持する部分である。
【００１８】
●補強バー１９●
補強バー１９は、左傾斜部１２と右傾斜部１４とを接続した連結部である。
【００１９】
●●支持部３０●●
支持部３０は、上方向と左方向と右方向との３方向が解放された状態でハンドルバー１０に固定されている。
支持部３０は、下方向と前方向と後方向との３方向が解放されていない状態でハンドルバー１０に固定されている。
支持部３０は、ハンドルバー１０と平行に、長尺の物体２０を取り付ける。
支持部３０は、物体２０の前面と後面と底面とを保持する。
支持部３０は、物体２０の両面を挟むように物体２０を支持する。
支持部３０は、物体２０が水平になるように物体２０を取り付ける。
支持部３０は、少なくとも物体２０の左右２か所を保持する。
支持部３０は、側面視でＵ字形状をしており、凹部３１を有する。
凹部３１は、物体２０を挿入するくぼみである。
支持部３０は、凹部３１を形成し、物体２０を支持するＵ字フック３２と、ハンドルバー１０に固定された接合部３３とを有する。
支持部３０の凹部３１は、物体２０の高さの半分以上の深さを有する。
【００２０】
●左フック部４０と右フック部５０●
支持部３０は、左フック部４０と右フック部５０とを有する。
左フック部４０は、ハンドルバー１０の左側に固定されている。
右フック部５０は、ハンドルバー１０の右側に固定されている。
【００２１】
左フック部４０と右フック部５０とは、金属製の円柱棒である。
左フック部４０と右フック部５０とは、ハンドルバー１０の左右中央断面（ハンドルバー１０の中心軸と直交する断面）に対して左右対称に取り付けられている。
左フック部４０と右フック部５０とは、ハンドルバー１０の同じ高さの位置に取り付けられている。
左フック部４０と右フック部５０とは、平行に取り付けられている。
左フック部４０と右フック部５０とは、同一方向（上方向）が解放された状態でハンドル１００に固定されている。
左フック部４０と右フック部５０とは、物体２０の底面を水平に保持する。
左フック部４０と右フック部５０とは、一端に接合部３３を有し、他端に貫通孔３４を有する。
【００２２】
●Ｕ字フック３２●
ハンドル１００は、ハンドルバー１０の左側と右側に、スケートボード７０又はその他の物体２０を取り付ける１対のＵ字フック３２を有する。
左フック部４０と右フック部５０とは、同じサイズのＵ字フック３２を有する。
図４に示すように、Ｕ字フック３２は、２つの直柱３６、３７と、２つの直柱の下端をつなぐ半円の円弧柱３８からなる。
２つの直柱３６、３７は、長さが同じ平行棒である。
２つの直柱３６、３７は、鉛直方向に取り付けられている。
２つの直柱の一方の直柱３６が、物体２０の片面を保持する。
２つの直柱の他方の直柱３７が、物体２０の他面を保持する。
円弧柱３８は、物体２０の底面を保持する。
図示しないが、２つの直柱３６、３７は、長さが異なっていてもよい。
図示しないが、直柱３６、３７の一方又は両方は、鉛直方向に対して傾斜して取り付けられていてもよい。
図示しないが、直柱３７の上部が前方に曲げられていてもよい。
図示しないが、直柱３６、３７の一方又は両方は、曲がった柱、波打った柱、その他の形状でもよい。
図示しないが、円弧柱３８は、Ｖ字型、Ｕ字型、直線型、その他の形状でもよい。
【００２３】
●左フック部４０●
左フック部４０は、接合部３３により左傾斜部１２に固定されている。
左フック部４０は、ハンドルバー１０の中央部より左側に取り付けられたＵ字部である。
【００２４】
●右フック部５０●
右フック部５０は、接合部３３により右傾斜部１４に固定されている。
右フック部５０は、ハンドルバー１０の中央部より右側に取り付けられたＵ字部である。
【００２５】
●接合部３３●
接合部３３は、ハンドル１００に溶接されて固定されている。
接合部３３は、２つの直柱の一方の直柱３６から連続している。
接合部３３は、左傾斜部１２と右傾斜部１４の前方に固定されている。
接合部３３は、左傾斜部１２と右傾斜部１４の後方、外側、又は、内側に固定されていてもよい。
左フック部４０の一端にある接合部３３は、左フック部４０の上端で左傾斜部１２の傾斜に沿うように外側に曲げられている。
右フック部５０の一端にある接合部３３は、右フック部５０の上端で右傾斜部１４の傾斜に沿うように外側に曲げられている。
接合部３３は、接着材、ネジ、ボルトとナット、その他の固定具でハンドルバー１０に固定されていてもよい。
接合部３３は、ハンドルバー１０の左傾斜部１２以外と右傾斜部１４以外の場所に固定されていてもよい。
【００２６】
●貫通孔３４とバンド８１とバンド８２●
左フック部４０と右フック部５０の他端には、貫通孔３４がある。
貫通孔３４は、２つの直柱の他方の直柱３７に設けられている。
貫通孔３４は、伸縮性のあるバンド８１とバンド８２とが通される穴である。
バンド８１とバンド８２との他端には、ハンドルバー１０に引っ掛ける半円形の引っ掛け具がある。
図示しないが、貫通孔３４の代わりに、直柱３７の端部にバンド８１とバンド８２を固定する凹部又は凸部があってもよい。
【００２７】
●●物体２０●●
図７により、物体２０について説明する。
物体２０は、ハンドルバー１０の左右の長さ以下の長さを有する物体であることが好ましい。
物体２０は、左フック部４０と右フック部５０の間隔以上の長さを有する物体でなければならない。
物体２０は、凹部３１に挿入可能な部分を有していなければならない。
物体２０は、少なくとも左フック部４０と右フック部５０に対応する部分では、左フック部４０と右フック部５０に挿入可能な厚さを有していなければならない。
物体２０は、左フック部４０と右フック部５０に対応する部分以外では、左フック部４０と右フック部５０に挿入不可能な厚さを有していてもよい。
【００２８】
●物体２０の例示●
物体２０の具体例として、以下のものが挙げられる。
スケートボード、折り畳み式スクータボード、その他のストリートボード。
バット、釣り竿、傘、ステッキ、杖、ラケット、箒、棒、その他の長尺物品。
アタッシュケース、鞄、バッグ、その他の携行品。
【００２９】
なお、左右の靴、左右の手袋を、左フック部４０と右フック部５０にそれぞれ差し込んでもよい。
【００３０】
●●スケートボード７０●●
図７により、物体２０がスケートボード７０である場合について説明する。
スケートボード７０は、デッキ７１と、前輪７２と、後輪７３とを有する。
前輪７２と後輪７３とは所定の間隔でデッキ７１の下面に固定されている。
支持部３０は、デッキ７１の前輪７２と後輪７３との内側部分（ホイールベース）を支持する。
【００３１】
●デッキ７１●
デッキ７１は、足を載せる板状部分である。デッキ７１の前後のノーズとテイルには、反り返りがあるが、デッキ７１はほぼ板状である。
【００３２】
●前輪７２●
前輪７２は、トラックを介してデッキ７１の裏面に配置されている。
【００３３】
●後輪７３●
後輪７３は、トラックを介してデッキ７１の裏面に配置されている。
【００３４】
●寸法関係●
図７により、支持部３０のＵ字フック３２とスケートボード７０の寸法関係を説明する。
フック前後幅Ｃは、スケートボード７０のデッキ厚Ｔよりも大きい。
よって、凹部３１にスケートボード７０のデッキ７１を挿入することができる。
【００３５】
フック間隔Ｂは、スケートボード７０の車輪間隔Ｋよりも小さい。
フック前後幅Ｃは、スケートボード７０のデッキ高Ｈよりも小さい。
よって、スケートボード７０が左右にスライドしても車輪がＵ字フック３２に引っかかりスケートボード７０が落下しない。
【００３６】
フック深さＤは、スケートボード７０のデッキ幅Ｗよりも小さい。
よって、スケートボード７０の上面（上側にあるデッキ７１の側面）にバンド８１とバンド８２が必ず接触し、バンド８１とバンド８２がスケートボード７０が左右にスライドすることを防止する。
【００３７】
フック深さＤは、は、デッキ幅Ｗの半分以上の深さを有する。
よって、スケートボード７０が前方に傾いても、スケートボード７０が前方に跳び出すことがない。
【００３８】
デッキ長Ｌは、ハンドル長Ｚより小さいことが望ましい。
デッキ長Ｌがハンドル長Ｚより小さければ、デッキ７１の先端がハンドルバー１０の左右からはみ出さないので安全運転ができる。
【００３９】
支持部３０は、ハンドルバー１０の左右の長さ以下の長尺の薄い板状の物体２０を保持するために好適である。
特に、支持部３０は、スケートボード７０を保持するために好適である。
【００４０】
図７においては、スケートボード７０の裏面が前方になるように取り付けているが、スケートボード７０の表面と裏面とを反対にして、スケートボード７０の表面が前方になるように取り付けてもよい。
図示しないが、フック間隔Ｂを、デッキ長Ｌよりも小さくし、車輪の外側間隔より大きくしてもよい。
図示しないが、２個のスケートボード７０のデッキ７１の上面を向かい合わせにして（車輪を外側にして）、２個のスケートボード７０を支持部３０に挿入してもよい。
【００４１】
●自転車６０●
図８により、自転車６０について説明する。
自転車６０は、ハンドル１００とフレーム６１を有する。
【００４２】
ハンドル１００は、支持部３０をハンドルバー１０の前方に取り付けている。
ハンドル１００が３６０度回転しても、支持部３０とスケートボード７０が、フレーム６１にぶつかることがない。
自転車６０は、バイシクルモトクロス（ＢＭＸ）に用いられる自転車である。
ハンドルバー１０は、バイシクルモトクロス（ＢＭＸ）に用いられる自転車６０のハンドルバーである。
ハンドルバー１０は、他の２輪車又は３輪車のハンドルバーでもよい。
【００４３】
●接続部３５●
図９により、接続部３５について説明する。
支持部３０は、左側にあるＵ字フック３２と右側にあるＵ字フック３２とを接続した接続部３５を有する。
接続部３５は、左フック部４０と右フック部５０との直柱３７の上下中央に固定されている。
接続部３５は、両端が左フック部４０と右フック部５０とに固定された円柱金属棒である。
接続部３５は、左フック部４０と右フック部５０との強度を増加させ、左フック部４０と右フック部５０との変形又は破損を防止する。
また、接続部３５は、支持部３０からの物体２０の落下を防止する。
接続部３５は、左フック部４０と右フック部５０との直柱３６、３７の上端、直柱３６、３７の下端、円弧柱３８の底部にあってもよい。
接続部３５は、金属板でもよい。
接続部３５は、複数あってもよい。
接続部３５の正面形状は、Ｘ型、丸型、楕円型、井桁、格子型、その他の形状でもよい。
接続部３５は、左フック部４０と右フック部５０よりも外側にはみ出していてもよい。
【００４４】
●Ｊ字形状の支持部３０●
図１０により、Ｊ字形状の支持部３０について説明する。
左フック部４０と右フック部５０とは、Ｊ字フック３９と接合部３３とを有する。
Ｊ字フック３９は、１つの直柱３７と、１つの直柱３７の下端と接合部３３の下端とをつなぐ円弧柱３８からなる。
Ｊ字フック３９の形状は、物体２０の底面と物体２０の正面とを保持する。
１つの直柱３７が、物体２０の片面を保持する。
ハンドルバー１０が、物体２０の他面を保持する。
円弧柱３８は、物体２０の底面を保持する。
凹部３１のＵ字フックは、ハンドルバー１０と支持部３０とにより形成される。
Ｕ字フックは、左傾斜部１２と右傾斜部１４とＪ字フック３９とにより形成される。
側面視でＪ字形状の支持部３０とハンドルバー１０とが、物体２０の両面を挟むように支持する。
【００４５】
図示しないが、Ｕ字フック、Ｊ字フックの代わりに、Ｗ字フック、Ｌ字フック、Ｃ字フック、逆さＦ字フック、Ｖ字フック、Ｓ字フックでもよい。
支持部３０のフックの形状は、物体２０の底面と少なくとも正面と背面とのいずれか一方を保持する形状であればよい。
【００４６】
●ハンドルバー１０の変形例●
図１１のハンドルバー１０は、左傾斜部１２と右傾斜部１４とがないハンドルバー１０である。
ハンドルバー１０は、左グリップ部１１から固定部１３までまっすぐである。
ハンドルバー１０は、右グリップ部１５から固定部１３までまっすぐである。
左フック部４０は、ハンドル１００の左側の直管部分に固定され、右フック部５０は、ハンドル１００の右側の直管部分に固定されている。
接合部３３は、二股形状になっている。
図示しないが、ハンドルバー１０は、直線型、円弧型、Ｍ字型、波型、その他の型のハンドルバー１０でもよい。
接合部３３は、二股形状でなくてもよく、ハンドルバー１０の形状に合わせて、三股形状、肉厚形状、リング形状、その他の形状でもよい。
【００４７】
●支持部３０の取り付け変形例●
図１２の支持部３０は、左フック部４０と右フック部５０を水平にしてハンドルバー１０に取り付けたものである。
左フック部４０と右フック部５０は、後方に向けて解放されている。
物体２０は、水平方向に前方に向けて挿入される。
図示しないが、左フック部４０と右フック部５０をハンドルバー１０に対して斜めに固定してもよい。
【００４８】
●支持部３０の取り付け変形例●
図１３の支持部３０は、左フック部４０と右フック部５０を左傾斜部１２と右傾斜部１４との傾斜に沿わせてハンドルバー１０に取り付けたものである。
Ｕ字フック３２に対して折れ曲がった接合部３３は不要であり、Ｕ字フック３２の直柱３６を接合部３３として使用する。
【００４９】
●支持部３０の取り付け変形例●
図１４の支持部３０は、左フック部４０と右フック部５０をハンドルバー１０の後方に取り付けたものである。
【００５０】
＊＊＊実施の形態の効果の説明＊＊＊
本実施の形態によれば、物体２０（スケートボード７０）を運ぶハンドルを提供することができる。
本実施の形態によれば、自転車のかご又は荷台には収納することができない長尺の物体を取り付けるハンドルを提供することができる。
【００５１】
＊＊＊実施の形態の補足説明＊＊＊
前述した実施の形態で説明した構成を組み合わせてもかまわないし、実施の形態で説明した構成の一部を組み合わせてもかまわない。
【符号の説明】
【００５２】
１０  ハンドルバー、１１  左グリップ部、１２  左傾斜部、１３  固定部、１４  右傾斜部、１５  右グリップ部、１９  補強バー、２０  物体、３０  支持部、３１  凹部、３２  Ｕ字フック、３３  接合部、３４  貫通孔、３５  接続部、３６  直柱、３７  直柱、３８  円弧柱、３９  Ｊ字フック、４０  左フック部、５０  右フック部、６０  自転車、６１  フレーム、７０  スケートボード、７１  デッキ、７２  前輪、７３  後輪、８１  バンド、８２  バンド、１００  ハンドル、Ｂ  フック間隔、Ｃ  フック前後幅、Ｄ  フック深さ、Ｌ  デッキ長、Ｗ  デッキ幅、Ｔ  デッキ厚、Ｈ  デッキ高、Ｋ  車輪間隔。
【図１】
0003235590.tif 000003
【図２】
0003235590.tif 000004
【図３】
0003235590.tif 000005
【図４】
0003235590.tif 000006
【図５】
0003235590.tif 000007
【図６】
0003235590.tif 000008
【図７】
0003235590.tif 000009
【図８】
0003235590.tif 000010
【図９】
0003235590.tif 000011
【図１０】
0003235590.tif 000012
【図１１】
0003235590.tif 000013
【図１２】
0003235590.tif 000014
【図１３】
0003235590.tif 000015
【図１４】
0003235590.tif 000016